(57)【要約】【課題】本発明は、土の移動や土盛り工事、宅地造成工事に伴う土の乾燥に電磁波を応用した技術を提供する。【解決手段】装置テーブル（１０）に、発電手段（１）を設置して設け、該テーブルの下部に、電磁波発生手段（２）および電磁波照射手段（３）を設け、また同様にタイヤ支持軸（１１）を固定して設ける。つぎにこのタイヤ支持軸（１１）に直結固定して、ベアリング軸受で回転する低圧タイヤ（４）を設けた水平タイヤ軸（１２）を設ける。さらに防爆スカート（６）を装置テーブル（１０）より垂れ下げて、タイヤの前後左右に設ける。これにより電磁波乾燥装置アッセンブリ（１３）が形成される。さらにまた複数台の該アッセンブリの装置テーブル（１０）同士で接続固定して、多車輪付機械装置（１４）として設ける。最後にこの該機械装置を、制御部（８）と電磁波遮蔽板（７）を設けた作業車両（５）に着脱可能に装着して、全体に配線施工をして設ける。【選択図】図１
2013170449.tif 000002
【特許請求の範囲】
【請求項１】
装置テーブル（１０）に、発電手段（１）を設置して設け、該テーブルの下部に、電磁波発生手段（２）および電磁波照射手段（３）を設け、また同様にタイヤ支持軸（１１）を固定して設け、このタイヤ支持軸（１１）に直結固定して、ベアリング軸受で回転する低圧タイヤ（４）を設けた水平タイヤ軸（１２）を設け、さらに防爆スカート（６）を装置テーブル（１０）より垂れ下げて、タイヤの前後左右に設ける、これにより電磁波乾燥装置アッセンブリ（１３）が形成される、さらにまた複数台の該アッセンブリの装置テーブル（１０）同士で接続固定して、多車輪付機械装置（１４）として設ける、最後にこの該機械装置を、制御部（８）と電磁波遮蔽板（７）を設けた作業車両（５）に着脱可能に装着して、全体に配線施工をして設ける、このような構造および構成の特徴よりなる、地面電磁波乾燥機械。
【発明の詳細な説明】
【技術分野】
【０００１】  本発明は、各種の土盛り、宅地造成等の工事に求められる最適な路盤にするために電磁波を最大限に活用した、地面乾燥装置の技術に関するものである。【０００２】  従来、路盤改良の作業工法としては、地盤にセメント生石灰などの凝固材や砕石等を混ぜて、攪拌して水分抜き時間を待って、乾燥させてから添圧していた。また、埋め立て工事などの場合は、地面の中に暗渠管等入れたり、粗染と砂と４号砕石等の断層溝を作り水分を浸透させて抜いていた。【０００３】  こうした中で近年、実用新案公開・昭６４−０４２３１０号のように、電磁波を利用したアスファルトの簡易溶解装置とか、特開２００３−３２２４６７のマイクロ波による耐火物の乾燥装置とか、特開２００５−０９２８１のごとく装置内に雪を掻き込んで、それに電磁波を照射して溶かす移動融雪装置がある。また特許登録第４１０２６０９号のごとくアスファルトの切断方法及びアスファルト切断装置等の技術が公開されている。
【発明の開示】
【発明が解決しようとする課題】
【０００４】  現状では、土の移動や土盛り工事や宅地造成工事での路盤生成中等に夕立や雨で、地面が柔らかくなってしまう。また粘土質の土は水分があるために添圧しても、路盤が落ち着かない。その水分を含んだ土は、作業機械やスコップ、草掻きレーキなどに土が付着し、剥がれにくい。またローラーなどで添圧しても、路盤の不陸調整が出来ないばかりか、ランマーで添圧すると盤膨れの状態になり苦慮する。さらに広い敷地では、土を盛り上げて台形にして、自重添圧等で土の水を絞り出す方法が取られているが、２ヶ月〜３ヶ月あまりの時間がかかっていた。また近年の技術では、物質に電磁波照射をすると、分子同士の動きが活発になり、分子が衝突を繰り返す現象で、物質内部に摩擦熱が発生する、これを応用してアスファルトを溶解させたり、雪を溶かしたり、耐火物の水分を抜いたりするものが、前記のごとく公開されている。しかしながら電磁波つまり，マイクロ波には周波数があり、さらに電波の性質で、３６０度に無指向に出てしまう性質を持っている。これらの技術ではこの辺の検証が不足しており電磁波による被爆対策や、最適周波数の設定等多くの課題が残った。これらの問題点を改善し路盤改良の工法などに特化した本発明がなされたのである。
【課題を解決するための手段】
【０００５】  本発明は出来る限りの簡単構成で装置化するものである。まず本体の基台となる、装置テーブル（１０）の上に、電源であるエンジン発電機等の発電手段（１）を設置して設ける。つぎに該テーブルの下部に、マイクロ波を作り出す電磁波発生手段（２）を設ける。さらにこの下部に直結して、マイクロ波に指向性を持たして照射できる、電磁波照射手段（３）を設ける。また同様に該テーブルの下部にタイヤ支持軸（１１）を固定して設ける。そしてこのタイヤ支持軸（１１）に直結固定して、ベアリング軸受で回転する低圧タイヤ（４）を設けた、水平タイヤ軸（１２）を設ける。さらにマイクロ波の飛散を防御する、防爆スカート（６）を装置テーブル（１０）の四方端に固定し垂れ下げて、タイヤの前後左右に設ける。これにより１基の電磁波乾燥装置アッセンブリ（１３）が形成される。さらにまた複数台の該アッセンブリを、装置テーブル（１０）同士で接続固定して、多車輪付機械装置（１４）として設ける。最後にこの該機械装置を、コントロールする制御部（８）と電磁波遮蔽板（７）を設けた、地面を移動する為の作業車両（５）に着脱可能に装着して、全体に配線施工をして設ける。
本発明は以上のような特徴よりなる、地面電磁波乾燥機械である。
【発明の効果】
【０００６】  電磁波照射により、地面の中から水分だけを蒸発させるために、土砂を掘削しないで乾燥させる事が出来るので、地面が適度に硬くなり作業がしやすくなり、土盛り工事や宅地造成工事の添圧作業に於いても、大幅に作業時間や工期が短縮され、機械および労働力等も少なくて済み、さらに地面の種類を選ばず色々な土（土砂や岩石等含）が混じっていても気にせずに扱えるので、大きなコストダウンになった。
また、電磁波のシールド対策は完全な被爆防止が施されており、さらに単体装置で強い電磁波を照射するよりも、本発明は電圧を下げて複数の集合体で電磁波を発生させる方式であるので、人体への影響は皆無である。そして、専用トラックや専用自走車で制御および作業運転を行うので、地面の乾燥作業が短時間且つ、安全にに行える。さらに本装置は、土だけでなく、路面の積雪した雪を溶かす事が出来るので、雪除車として、多目的に利用できるので、地域社会に大いに役立つ。
【発明を実施するための最良の形態】
【０００７】  まず本体の基台である、装置テーブル（１０）の上に、電源であるエンジン発電機等の発電手段（１）を設置して設ける。つぎに該テーブルの下部に、マイクロ波を作り出す電磁波発生手段（２）を設ける。この該テーブルは、電磁波を遮蔽する手段を具備する。さらにこの下部に直結して、マイクロ波に指向性を持たして照射できる、電磁波照射手段（３）を設ける。また同様に該テーブルの下部にタイヤ支持軸（１１）を固定して設ける。この該支持軸には、クッションダンパー等を装着した構成とすれば、ベストモードである。そしてこのタイヤ支持軸（１１）に直結固定して、ベアリング軸受支持されて回転する低圧タイヤ（４）を設けた、水平タイヤ軸（１２）を設ける。そしてマイクロ波の飛散を防御する、防爆スカート（６）を装置テーブル（１０）の四方端に固定し垂れ下げて、タイヤの前後左右に設ける。これにより単体としての、１基の電磁波乾燥装置アッセンブリ（１３）が形成される。さらにこの複数台の該アッセンブリを装置テーブル（１０）同士で接続固定して、多車輪付機械装置（１４）として設ける。最後にこの該機械装置を、制御部（８）と電磁波遮蔽板（７）を設けた、作業車両（５）に、着脱可能に装着して、全体に配線施工をして設ける。
本発明は以上のような構成であり、これを使用実施するときには、【０００８】  専用トラックまたは自走車を、運転および制御コントロールを行い、真下の地面に向けて電磁波照射手段（３）よりマイクロ波を発生放射させて（本発明によると２４５０ＧＨｚが良好である）地面を移動すると、その部分の地面および地中が暖められて水分が蒸発して乾燥する。この装置の中で電磁波を発生させているのは、発電手段（１）より送り込まれる、電圧電流を電源にして電磁波発生手段（２）の中のマグネトロンという真空管に、高い電圧を加えることにより、発生しているのである。また地面の加熱は、このマイクロ波と物質の摩擦相互作用によって、電磁波の振動により特定の物質が、互いにぶつかり合い内部から熱を発生させる。この装置の場合、無機質である土砂岩石と水分同士の振動摩擦相互作用によって水分が、熱せられて水蒸気となって地面から排出される。とくに良い点は、地面の中の水分のみを選択的に且つ、急速均一に加熱する事ができるのである。また、この時に地面の種類を選ばないで（粘土やその他の土、土砂岩石混じり等）、水分のみを除去し乾燥が行えるのである。このように土砂等を掘削しないで乾燥させる為に、作業時間が短縮され機械や労働力等も大幅に軽減される。また、電磁波は人体に対して低周波被爆を起こしてしまう危険がある。つまり１台の単体装置で電磁波を発生させて、地面乾燥を行うには、大きな大電力が必要になり電磁波も極力強くする必要があり、この為電磁波が周囲に漏れる心配がある。本装置は安全且つ効率的に乾燥作業が出来るように、複数の電磁波乾燥装置アッセンブリー（１３）を設け、電圧を低く下げて地面に照射するので安全で、能力的に早く、作業効率も良い。これにより電磁波漏れも極力小さくなり、さらに電磁波遮蔽板（７）や防爆スカート（６）、また低圧タイヤ（４）の凹みによる地面との隙間が無くなるシールド性も加わり、電磁波被爆は解消する。このように、各種土盛り等の路盤乾燥は、ブルトーザを扱う感覚で施工できる。
【図面の簡単な説明】
【０００９】
【図１】本発明の横断面実施図である。
【図２】本発明の単体の電磁波乾燥装置アッセンブリーの正面開放図である。
【図３】本発明の正面実施図である。
【符号の説明】
【００１０】  １  発電手段
２  電磁波発生手段
３  電磁波照射手段
４  低圧タイヤ
５  作業車両
６  防爆スカート
７  電磁波遮蔽板
８  制御部
９  地面
１０  装置テーブル
１１  タイヤ支持軸
１２  水平タイヤ軸
１３  電磁波遮蔽板
１４  多車輪付機械装置
【図１】
2013170449.tif 000003
【図２】
2013170449.tif 000004
【図３】
2013170449.tif 000005